(57)【要約】【課題】液体収容缶の吐出口への着脱が容易で、かつ缶の内容物によらず脱落のおそれがない着脱式コックを提供することである。【解決手段】液体収容缶の吐出口に嵌め込まれるコック本体１の筒部１ａに、吐出口端部と係合する鍔部１ｂを形成し、リング本体６の周方向の一箇所が切断された取付リング２に、リング本体６の一方の周端部に回動自在に取り付けられたレバー７と、レバー７の回動中心から離れた部位に回動自在に取り付けられた環状の係止部材８と、リング本体６の他方の周端部に固定されたフック９とを設け、係止部材８をフック９に掛けてレバー７をリング本体６の切断箇所と逆の側へ回動させることにより、リング本体６が縮径して互いに係合したコック本体１の鍔部１ｂと吐出口端部とを締め付けるようにして、コックの吐出口からの脱落のおそれをなくしたのである。【選択図】図２
2006282264.tif 000002
【特許請求の範囲】
【請求項１】
液体収容缶の円筒状吐出口に嵌め込まれる筒部を有するコック本体と、このコック本体を前記吐出口に着脱自在に取り付ける取付リングとを備えた液体収容缶用着脱式コックにおいて、前記コック本体の筒部が、前記吐出口の端部と係合する鍔部を有しており、前記取付リングが、周方向の一箇所を切断されたリング本体と、このリング本体の一方の周端部に回動自在に取り付けられたレバーと、このレバーの回動中心から離れた部位をリング本体の他方の周端部に連結する手段とからなるものであり、この取付リングを互いに係合した前記コック本体鍔部と吐出口端部を囲むように配置して、前記レバーをリング本体の切断箇所と逆の側へ回動させることにより、前記リング本体が縮径してコック本体鍔部と吐出口端部とを締め付けるようにしたことを特徴とする液体収容缶用着脱式コック。
【請求項２】
前記レバーの回動中心から離れた部位をリング本体の他方の周端部に連結する手段が、前記レバーの回動中心から離れた部位に回動自在に取り付けた係止部材を、前記リング本体の他方の周端部に固定したフックに掛けるものであることを特徴とする請求項１に記載の液体収容缶用着脱式コック。
【請求項３】
前記レバーの回動中心から離れた部位をリング本体の他方の周端部に連結する手段が、一端を前記リング本体の他方の周端部に回動自在に取り付けられ、他端を前記レバーの回動中心から離れた部位に回動自在に取り付けられた連結アームであることを特徴とする請求項１に記載の液体収容缶用着脱式コック。
【発明の詳細な説明】
【技術分野】
【０００１】
本発明は、一斗缶やペール缶等の液体収容缶の吐出口に取り付けられ、吐出口から所望量の液体を流出させるのに用いられる着脱式コックに関する。
【背景技術】
【０００２】
一般的な一斗缶やペール缶等の液体収容缶には、その上端面に円筒状の吐出口が形成されたものが多く、このような缶に収容されている液体を取り出そうとするときは、缶を傾けて吐出口から液体を流出させる必要があった。このため、容量の大きい缶に多量の液体が入っている場合には、液体を取り出す作業に大きな労力を必要とするうえ、液体を所望量だけ流出させることが難しく、余分に流出した液体が周囲を汚すという問題もあった。
【０００３】
そこで、図６に示すように、液体収容缶Ａの吐出口Ｂに着脱式のコック５１を装着することにより、缶Ａを横倒しに置いてコック５１の開閉だけで缶Ａ内の液体を簡単に取り出せるようにする方法が提案され（特許文献１参照。）、一部で実用化されている。この方法では、液体を取り出す際に缶Ａを傾ける必要がないので、作業が楽に行えるし、液体を所望量だけ正確に吐出口Ｂから流出させることができ、余分な液体が周囲を汚すといったこともない。また、コック５１が着脱式なので、缶Ａ内の液体がなくなれば新しい缶に付け替えられるという利点もある。
【０００４】
ところで、上記特許文献１に記載された着脱式コック５１は、吐出口Ｂからの脱落を防止するため、コック本体５２の一端に形成した筒部５３を吐出口Ｂに嵌め込んだ状態で、取付リング（押えリング）５４の周縁に形成した多数の舌状片５４ａを撓ませて吐出口Ｂ端部の環状突起Ｃに係合させている。
【０００５】
しかしながら、缶Ａにシンナー等の揮発性液体が収容されている場合には、缶Ａの内圧により取付リング５４の舌状片５４ａと吐出口Ｂの環状突起Ｃとの係合が外れて、コック本体５２と取付リング５４とが同時に吐出口Ｂから脱落してしまうおそれがある。
【０００６】
これに対して、取付リング５４の舌状片５４ａを肉厚に形成する等して吐出口Ｂの環状突起Ｃとの係合を強固なものにすれば、缶Ａの内容物によらずコック５１が脱落しないようにすることはできるが、その場合には、コック５１を新しい缶に付け替えるときに、取付リング５４を取り外すことが難しくなり、作業に手間がかかったり、取付リング５４が塑性変形して再使用できなくなったりする問題が生じる。
【特許文献１】特開平１０−２９６９９号公報
【発明の開示】
【発明が解決しようとする課題】
【０００７】
本発明の課題は、液体収容缶の吐出口への着脱が容易で、かつ缶の内容物によらず脱落のおそれがない着脱式コックを提供することである。
【課題を解決するための手段】
【０００８】
上記の課題を解決するために、本発明は、前記コック本体の筒部に吐出口の端部と係合する鍔部を形成し、リング本体の周方向の一箇所が切断され、その一方の周端部に回動自在に取り付けたレバーを他方の周端部に連結した取付リングを、互いに係合したコック本体鍔部と吐出口端部を囲むように配置して、そのレバーをリング本体の切断箇所と逆の側へ回動させることにより、リング本体が縮径してコック本体鍔部と吐出口端部とを締め付けるようにしたのである。この構成を採用すれば、取付リングのレバー操作だけでコック本体の吐出口への固定およびその解除を行うことができる。しかも、缶の内圧が作用する方向とレバーを戻す方向とが異なるため、缶に揮発性液体が収容されている場合でも、レバー操作を行わない限り、リング本体が拡径してコック本体の吐出口への固定が解除されることはなく、コックの脱落を確実に防止することができる。
【０００９】
前記レバーの回動中心から離れた部位をリング本体の他方の周端部に連結する具体的な手段としては、レバーの回動中心から離れた部位に回動自在に取り付けた係止部材を、リング本体の他方の周端部に固定したフックに掛けるものや、一端をリング本体の他方の周端部に回動自在に取り付けられ、他端をレバーの回動中心から離れた部位に回動自在に取り付けられた連結アームを採用することができる。
【発明の効果】
【００１０】
本発明の液体収容缶用着脱式コックは、上述したように、コック本体の筒部に缶の吐出口の端部と係合する鍔部を形成し、リング本体の周方向の一箇所が切断され、その一方の周端部に回動自在に取り付けたレバーを他方の周端部に連結した取付リングを、互いに係合したコック本体鍔部と吐出口端部を囲むように配置して、そのレバーの回動操作だけでコック本体の吐出口への固定およびその解除を行えるようにしたので、吐出口への着脱が非常に簡単である。従って、新しい缶への付け替えの際にも、手間がかからず、取付リングの塑性変形のおそれがないため確実に再使用できる。また、レバー操作を行わない限りリング本体が拡径してコック本体の吐出口への固定が解除されることはないので、缶の内容物によらず脱落のおそれがなく、安心して使用できる。
【発明を実施するための最良の形態】
【００１１】
以下、図１乃至図５に基づき、この発明の実施形態を説明する。図１乃至図４は第１の実施形態を示す。この液体収容缶用着脱式コックは、シンナー等の揮発性液体を収容する缶に用いられるもので、図１および図２に示すように、缶Ａの円筒状吐出口Ｂに嵌め込まれる筒部１ａを有するコック本体１と、このコック本体１を吐出口Ｂに着脱自在に取り付ける取付リング２とで基本的に構成されている。コック本体１の筒部１ａは、吐出口Ｂ内径とほぼ同径に形成されており、基端側に吐出口Ｂの端部と係合する鍔部１ｂを有している。また、コック本体１には、筒部１ａの上蓋部分を貫通して缶Ａ内部に入り込む空気導入管３が取り付けられている。
【００１２】
前記コック本体１は、合成樹脂製で、前記筒部１ａおよび鍔部１ｂを有する固定部材４と、一端に取手５ａを有する筒状の回転部材５とに分離可能となっている。そして、固定部材４には、その筒部１ａと連通し、回転部材５の筒部５ｂを回転自在に保持する筒状の保持部４ａが形成されている。一方、回転部材５の筒部５ｂには透孔５ｃが形成され、回転部材５を回転させて透孔５ｃの位置を固定部材４の筒部１ａと保持部４ａとの連通口４ｂに合わせることにより、コックが開くようになっている。なお、図示は省略するが、缶Ａ運搬時等における液体の漏洩を防止するために、固定部材４と吐出口Ｂとの間および固定部材４と回転部材５との間には、パッキンやＯリング等のシール部材を介在させることが望ましい。
【００１３】
前記取付リング２は、金属製で、図２および図３に示すように、周方向の一箇所を切断されたリング本体６と、このリング本体６の一方の周端部に回動自在に取り付けられたレバー７と、レバー７の回動中心から離れた部位に回動自在に取り付けられた環状の係止部材８と、リング本体６の他方の周端部に固定されたフック９とからなり、係止部材８をフック９に掛けてレバー７をリング本体６の切断箇所と逆の側へ回動させることにより、リング本体６が縮径するようになっている。また、リング本体６は、図１に示したように、断面略Ｌ字状に形成され、その周壁６ａの下端側が、コック装着時に吐出口Ｂの環状突起Ｃと係合するように僅かに内向きに折り曲げられている。
【００１４】
前記空気導入管３は、図１および図２に示すように、コック本体１の筒部１ａの上蓋部分を貫通するＬ字管１０に、缶Ａ内部に入り込む軟質のパイプ１１を接続したもので、Ｌ字管１０には缶Ａ外側の管端を塞ぐキャップ１２が取り付けられている。パイプ１１は、先端部に半球形のフロート１３と錘１４とが先端側から順に互いに近接するように取り付けられ、常に先端が液面から突出するようになっている。また、パイプ１１先端は、缶Ａの内壁に密着しないように斜めに切断されている。従って、後述するように液体を取り出すときに、キャップ１２をＬ字管１０の管端から外せば、缶Ａ内へ外部の空気がスムーズに導入される。
【００１５】
次に、この着脱式コックの装着手順について説明する。まず、コック本体１を固定部材４と回転部材５とに分離し、固定部材４と一体の空気導入管３のパイプ１１を缶Ａ内部に差し込んだ後、固定部材４の筒部１ａを吐出口Ｂに圧入して、その基端側の鍔部１ｂを吐出口Ｂの端部に係合させる。そして、取付リング２をコック本体１の鍔部１ｂと吐出口Ｂの端部を囲むように配置して、そのレバー７をリング本体６の切断箇所と逆の側へ回動させる。これにより、リング本体６が縮径してコック本体１の鍔部１ｂと吐出口Ｂ端部とを締め付け、コック本体１が吐出口Ｂに固定される。最後に、コック本体１の回転部材５の筒部５ｂを固定部材４の保持部４ａに嵌め込む。
【００１６】
そして、このコックを新しい缶に付け替えようとするときは、上記と逆の手順で簡単に吐出口Ｂから取り外すことができる。
【００１７】
また、缶Ａ内の液体を取り出すときは、図４に示すように、缶Ａを横倒しに置き、コック本体１の取手５ａを回して回転部材５の透孔５ｃの位置を固定部材４の連通口４ｂに合わせればよい。このとき、空気導入管３のキャップ１２をＬ字管１０の管端から外して、缶Ａ内へ外部の空気を導入することにより、缶Ａの内圧を外気圧と同じにして液体をスムーズに流出させることができる。
【００１８】
この着脱式コックは、上記の構成であり、前述した従来タイプのものと同様に、液体を楽に所望量だけ取り出すことができるうえ、取付リング２のレバー７の回動操作だけでコック本体１の吐出口Ｂへの固定およびその解除を行うことができるので、吐出口Ｂへの着脱が非常に簡単である。しかも、缶Ａの内圧が作用する方向とレバー７を戻す方向とが異なり、レバー７の操作を行わない限りリング本体６が拡径してコック本体１の吐出口Ｂへの固定が解除されることはないので、脱落のおそれがなく、安心して使用できる。
【００１９】
図５は第２の実施形態を示す。この着脱式コックは、図５（ａ）に示すように、第１の実施形態の取付リング２の係止部材８およびフック９の代わりに、一端をリング本体６の他方の周端部に回動自在に取り付けられ、他端をレバー７の回動中心から離れた部位に回動自在に取り付けられた連結アーム１５を採用したもので、図５（ｂ）に示すように、レバー７をリング本体６の切断箇所と逆の側へ回動させることにより、リング本体６を縮径させてコック本体１の固定を行うようになっている。従って、第１の実施形態と同じく、吐出口Ｂへの着脱が非常に簡単で、かつ缶の内容物によらず脱落のおそれがない。
【００２０】
上述した各実施形態では、コック本体を合成樹脂で、取付リングを金属で形成したが、コック本体を金属製としたり、取付リングを合成樹脂製としたりすることもできる。
【００２１】
また、本発明の着脱式コックは、揮発性液体を収容する缶に対して特に有効に使用できるが、液体を収容する缶であれば、その内容物によらず広く使用できる。
【図面の簡単な説明】
【００２２】
【図１】第１の実施形態の着脱式コックの装着状態を示す正面断面図
【図２】図１のコックの分解斜視図
【図３】図１のコックの平面図
【図４】図１のコックを開いた状態を示す正面断面図
【図５】ａは第２の実施形態の着脱式コックの要部の平面図、ｂはａのコックの装着状態を示す要部の平面図
【図６】従来の着脱式コックの装着状態を示す正面断面図
【符号の説明】
【００２３】
１  コック本体
１ａ  筒部
１ｂ  鍔部
２  取付リング
３  空気導入管
４  固定部材
５  回転部材
６  リング本体
６ａ  周壁
７  レバー
８  係止部材
９  フック
１５  連結アーム
Ａ  缶
Ｂ  吐出口
Ｃ  環状突起
【図１】
2006282264.tif 000003
【図２】
2006282264.tif 000004
【図３】
2006282264.tif 000005
【図４】
2006282264.tif 000006
【図５】
2006282264.tif 000007
【図６】
2006282264.tif 000008